(57)【要約】天然ガス、ナフサ、液化天然ガス（ＬＮＧ）、液化石油ガス（ＬＰＧ）、石油化学工業由来のオフガスその他といったような供給ガス混合物におけるＣ1より高級な炭化水素から精製メタンを分離するための方法及び気体透過装置において、供給ガス入口、精製メタンを含有する気体流（４）用出口、Ｃ1より高級な炭化水素を含有する気体流（３）用出口、及び透過物側（４´）と非透過物側（３´）をもつ選択透過膜（１´）を具備する少なくとも１つの気体透過モジュール（１）を含む装置であって、前記選択透過膜（１´）が、気体透過装置の作動温度より高いガラス転移温度をもつガラス質、非晶質又は半晶質重合体で構成されており、精製メタンを含有する気体流（４）用前記出口が、前記選択透過膜（１´）の透過物側（４´）に配置されていることを特徴とする方法及び装置。
2004533927.tif 000002
【特許請求の範囲】
【請求項１】
天然ガス、ナフサ、液化天然ガス（ＬＮＧ）、液化石油ガス（ＬＰＧ）、石油化学工業由来のオフガスその他といったような供給ガス混合物におけるＣ１より高級な炭化水素から精製メタンを分離するための気体透過装置であって、供給ガス入口、精製メタンを含有する気体流（４）用出口、Ｃ１より高級な炭化水素を含有する気体流（３）用出口、及び透過物側（４´）と非透過物側（３´）をもつ選択透過膜（１´）を具備する少なくとも１つの気体透過モジュール（１）を含み、前記選択透過膜（１´）が、気体透過装置の作動温度より高いガラス転移温度をもつガラス質、非晶質又は半晶質重合体で構成されており、精製メタンを含有する気体流（４）用前記出口が、前記選択透過膜（１´）の透過物側（４´）に配置されていることを特徴とする気体透過装置。
【請求項２】
前記気体透過モジュール（１）の選択透過膜（１´）が、芳香族ポリイミド、芳香族ポリエーテルなどから成ることを特徴とする請求項１に記載の気体透過装置。
【請求項３】
気体透過装置が、１０℃〜１００℃の間、好ましくは４０℃〜６０℃の間の作動温度を有することを特徴とする請求項１又は２に記載の気体透過装置。
【請求項４】
供給ガス入口へと移行させる前に前記供給ガス（２）を加圧するためのコンプレッサ（５）を含んで成ることを特徴とする請求項１〜３のいずれか１項に記載の気体透過装置。
【請求項５】
前記供給ガス入口が供給ガス（２）用の主管路（２´）に連結されていること及びＣ１より高級な炭化水素を含有する気体流（３）用の前記出口が、Ｃ１より高級な炭化水素を含有する気体流（３）を供給ガス（２）用主管路（２´）内へと戻すため前記主供給ガス管路（２´）に下流側で連結されていることをさらに特徴とする、請求項４に記載の気体透過装置。
【請求項６】
前記気体透過モジュール（１）の透過物側（４´）から精製メタンを含有する気体流（４）を抜き出すための吸引ユニット（６）を特徴とする請求項１〜５のいずれか１項に記載の気体透過装置。
【請求項７】
前記吸引ユニット（６）が、前記気体透過モジュール（１）の透過物側（４´）から引き出された精製メタンを含有する気体流（４）をさらに圧縮するためコンプレッサであることを特徴とする請求項６に記載の気体透過装置。
【請求項８】
気体透過モジュール（１）の供給ガス入口にさらに積重ねて気体透過モジュール（７）が連結されていることを特徴とする請求項１〜７のいずれか１項に記載の気体透過装置。
【請求項９】
積重ねられた気体透過モジュール（７）の非透過気体出口が、積重ねられた気体透過モジュール（７）の非透過気体流（８）を前記気体透過モジュール（１）内に移行させるために前記気体透過モジュール（１）の供給ガス入口に連結されていることを特徴とする請求項８に記載の気体透過装置。
【請求項１０】
前記積重ねられた気体透過モジュール（７）及び前記気体透過モジュール（１）の膜（１´、７´）のサイズが異なるものであることを特徴とする請求項８又は９のいずれか１項に記載の気体透過装置。
【請求項１１】
前記気体透過モジュール（１）のＣ１より高級な炭化水素を含有する気体流（３）用の出口が、前記積重ねられた気体透過モジュール（７）の透過気体ダクト（７ａ）と、減圧弁（３ｂ）を含むダクト（３ａ）を介して連結されることを特徴とする請求項８〜１０のいずれか１項に記載の気体透過装置。
【請求項１２】
並列に配置されている複数の気体透過モジュール（１）を含んで成ることを特徴とする請求項１〜１１のいずれか１項に記載の気体透過装置。
【請求項１３】
直列に配置されている複数の気体透過モジュール（１）を含んで成ることを特徴とする請求項１〜１２のいずれか１項に記載の気体透過装置。
【請求項１４】
天然ガス、ナフサ、液化天然ガス（ＬＮＧ）、液化石油ガス（ＬＰＧ）、石油化学工業由来のオフガスその他といったような供給ガス混合物におけるＣ１より高級な炭化水素から精製メタンを分離する方法において、透過物側（４´）と非透過物側（３´）をもつ選択透過膜（１´）を具備する少なくとも１つの気体透過モジュール（１）を含んで成り、基本的にＣ１より高級な炭化水素を含まない製品ガス混合物（４）が選択透過膜（１´）の透過物側（４´）からひき出されることを特徴とする精製メタンの分離方法。
【請求項１５】
方法が、気体透過モジュール（１）の選択透過膜（１´）のガラス転移温度よりも低い温度で実施されることを特徴とする請求項１４に記載の方法。
【請求項１６】
方法が、１０℃〜１００℃の間好ましくは４０℃〜６０℃の間の温度で実施されることを特徴とする請求項１４又は１５に記載の方法。
【請求項１７】
供給ガス圧が１バールよりも高いことを特徴とする請求項１４〜１６のいずれか１項にに記載の方法。
【請求項１８】
供給ガス混合物（２）が、積重ねられた気体透過モジュール（７）の非透過製品ガス（８）であることを特徴とする請求項１４〜１７のいずれか１項に記載の方法。
【請求項１９】
前記積重ねられた気体透過モジュール（７）の透過製品ガス（９）と前記気体透過モジュール（１）の非透過製品ガス（３）が組合わされることを特徴とする請求項１８に記載の方法。
【発明の詳細な説明】
【技術分野】
【０００１】
本発明は、天然ガス、ナフサ、液化天然ガス（ＬＮＧ）、液化石油ガス（ＬＰＧ）、石油化学工業由来のオフガスその他といったような供給ガス混合物におけるＣ1より高級な炭化水素から精製メタンを分離するための気体透過装置において、供給ガス入口、精製メタンを含有する気体流用出口、Ｃ1より高級な炭化水素を含有する気体流用出口、及び透過物側と非透過物側をもつ選択透過膜を具備する少なくとも１つの気体透過モジュールを含む装置、及び、透過物側及び非透過物側をもつ選択透過膜を含む少なくとも１つの気体透過モジュール内に供給ガス圧力下で供給ガス混合物を通過させることによって、天然ガス、ナフサ、液化天然ガス（ＬＮＧ）、液化石油ガス（ＬＰＧ）、石油化学工業由来のオフガスその他といったような供給ガス混合物内でＣ1より高級な炭化水素から精製メタンを分離する方法に関する。
【背景技術】
【０００２】
天然ガス、ナフサ、液化天然ガス、液化石油ガスその他ならびに石油化学工業由来の一部のオフガスは、通常、９０体積％までの高いメタン量を含有している。これ以外に、これらの気体は、Ｃ1より高級な炭化水素例えばエタン、プロパン、ｎ−ブタン、ｉ−ブタン、さまざまなペンタン異性体、ヘキサン異性体ならびにいわゆるＣ６＋炭化水素、すなわちＣ6より高い炭化水素を含む。上述の気体は同様に、わずかな量の窒素、二酸化炭素、硫化水素、水蒸気及びその他の臭いの強い成分例えばテトラヒドロチオフェンを含む可能性もある、通常、かかる気体は、加熱用気体として用いられ、さらなる処理又は精製を必要としない。それでも、特殊な利用分野については、例えば金属硬化方法用の非常に純度の高い水素の生産、鉛ガラスの生産などのために、高レベルに精製されたメタンに対するニーズが存在している。
【０００３】
主要成分としてメタンを有する天然ガス流からメタン及びその他のより高い炭化水素を分離するための方法は、米国特許第４,８５７,０７８号に知られており、ここでは、二酸化炭素、水蒸気、エタン及びその他のより高い炭化水素が膜を通して透過し、対応して保留物流がメタンを富有するような形で８以上のプロパン／メタン選択性をもつゴム質選択透過膜が開示されている。膜のゴム材料は、機械的圧力に対しきわめて敏感であることから、この方法は、非常に狭い範囲の低い供給ガス圧においてしか実施できない。
【発明の開示】
【発明が解決しようとする課題】
【０００４】
本発明の目的は、非常に高純度のメタンを高含有量で有する製品ガスを生成するために広範囲の気体圧力において供給ガスから精製メタンを分離するための気体透過装置及び方法を提供することにある。
【課題を解決するための手段】
【０００５】
従って、本発明に従った気体透過装置は、前記選択透過膜が、気体透過装置の作動温度よりも高いガラス転移温度をもつガラス質、非晶質又は半晶質重合体で構成されており、精製メタンを含有する気体流用前記出口が、前記選択透過膜の透過物側に配置されていることを特徴とする。本発明に従う装置で用いられる膜は、エタン、プロパン及びその他のＣ1より高級な炭化水素に比べメタンのより高い透過性を有する。かくして、メタンを含有する比較的大量の製品ガスを、前記選択透過膜の透過物側に配置されている精製メタンを含有する気体流用の出口から引き出すことができる。驚くべきことに、膜の透過物側では、Ｃ1より高級な炭化水素を含まないきわめて純度の高いメタンを得ることができるということが発見された。その上、ガラス質、非晶質又は半結晶質重合体から成る膜は、メタン富化された気体混合物の生産が広範囲の比較的高い圧力で実施され得るような機械的及び熱的特性を提供する。膜の信頼性の高い透過を確保するため、該装置は、これらの重合体のガラス転移温度より低い温度で作動させられる。
【発明を実施するための最良の形態】
【０００６】
試験により、前記気体透過モジュールが芳香族ポリイミド、芳香族ポリエステルなどで構成されていれば有利であるということが示されてきた。かかる膜は、２以上のメタン／エタン選択性を提供する。
【０００７】
試験により、膜内の水蒸気及び高級炭化水素の凝縮は、気体透過装置が１０℃〜１００℃の間、好ましくは４０℃〜６０℃の間の作動温度を有する場合に回避できる、ということが示された。
【０００８】
気体透過モジュールに供給される供給ガスの量を制御するためには、装置が前記供給ガスを加圧するためのコンプレッサを含んでいると有利である。
【０００９】
好ましくは、本発明に従った装置は、前記供給ガス入口が供給ガス用主管路に連結されていること、及びＣ1より高級な炭化水素を含有する気体流のための前記出口が、Ｃ1より高級な炭化水素を含有する気体流を供給ガス用主管路内へと戻すため前記主供給ガス管路に下流側で連結されていることを特徴とする。かくして、Ｃ1より高級な炭化水素を含有する気体流は、例えば燃料としてさらに使用されるべく、供給ガス管路に供給し戻される。
【００１０】
気体透過モジュールの透過物側の圧力を低減させて気体透過モジュールの分圧差を増大させるため、本発明の好ましい実施形態は、前記気体透過モジュールの透過物側から精製メタンを含有する気体流を抜き出す吸引ユニットを含んでいる。この吸引ユニットは、例えばファン又はコンプレッサでありうる。
【００１１】
本発明のもう１つの好ましい実施形態は、該装置が、前記気体透過モジュールの透過物側から引き出された精製メタンを含有する気体流をさらに圧縮するコンプレッサを含んで成ることを特徴としている。前記気体透過モジュールの前記透過気体すなわち精製メタンを含有する気体流を加圧することにより、膜を通して供給ガスを引き抜くためにモジュールの透過物側に負圧が生成される。さらに、精製メタンを含有する加圧された透過気体は、高圧の用途に供給可能である。
【００１２】
重合体膜を通るより高い透過性をもつ二酸化炭素と他の成分を供給ガスから分離するためには、気体透過装置が、気体透過モジュールの供給ガス入口に連結されたさらなる積重ねられた気体透過モジュールを含んでいれば有利である。積重ねられた気体透過モジュールにおいて気体混合物の異なる気体を分離するためには積重ねられた気体透過モジュール及び気体透過モジュールの膜材料は、積重ねられた気体透過モジュールにより分離されるべき供給ガスの成分に応じて、同じであっても異なっていてもよい。
【００１３】
積重ねられた気体透過モジュールの非透過気体ダクトが前記気体透過モジュールの供給ガス入口と連結されている場合、積重ねられた気体透過モジュールの非透過気体を気体透過モジュールの供給ガス側に直接供給することができる。
【００１４】
積重ねられた気体透過モジュールにより分離されるべきＣＯ2と他の成分の透過率比は通常、実生産用気体透過モジュールにより分離され精製されるメタンの透過率比に比べ著しく高いものであることから、前記積重ねられた気体透過モジュール及び前記気体透過モジュールの膜のサイズが異なるものであれば有利である。
【００１５】
気体透過モジュールの非透過物側の圧力が透過物側よりも著しく高いことに起因して、実生産用気体透過モジュールの非透過気体は、さらなる積重ねられた気体透過モジュールの透過気体と共に、通常の用途に使用することができる。従って、Ｃ1より高級な炭化水素を含有する気体流用の出口すなわち前記気体透過モジュールの非透過気体出口が前記積重ねられた気体透過モジュールの透過気体ダクトと、減圧弁を含むダクトを介して連結されていれば有利である。
【００１６】
装置が並列に配置された複数の気体透過モジュールを含む場合、生成される製品ガスの量は、並列に配置された気体透過モジュールの数に応じて制御可能である。
【００１７】
装置が直列に配置された複数の気体透過モジュールを含む場合、積重ねられた気体透過モジュールの製品ガスを、後続する気体透過モジュールのための供給ガスとして使用して製品ガス混合物内のメタンの濃度及び純度を段階的に富化させることができる。
【００１８】
天然ガス、ナフサ、液化天然ガス（ＬＮＧ）、液化石油ガス（ＬＰＧ）、石油化学工業由来のオフガスその他といったような供給ガス混合物におけるＣ1より高級な炭化水素から精製メタンを分離する方法は、透過物側と非透過物側をもつ選択透過膜を具備する少なくとも１つの気体透過モジュールを含んで成り、基本的にＣ1より高級な炭化水素を含まない製品ガス混合物が膜の透過物側からひき出されることを特徴とする。驚くべきことに、従来技術において複数の膜材料が知られているが、それらは全てメタンに比べて高級炭化水素についてより高い透過率をもつのに対し、気体混合物からのメタンの精製は透過物側において高い信頼性で提供され得るということが発見された。
【００１９】
膜の重合体材料が膜の透過機能に著しく影響を与える可塑性相に転移するのを回避するために、方法が気体透過モジュールの膜のガラス転移温度よりも低い温度で実施されると有利である。
【００２０】
試験によれば、方法を１０℃〜１００℃好ましくは４０℃〜６０℃の温度で実施した場合に、膜内の水蒸気及び高級炭化水素の凝縮の回避が可能であることから、精製方法が最も効率良く作用するということが示された。
【００２１】
気体透過モジュールを通しての供給ガス混合物の信頼性の高い透過のためには、供給ガス圧力が１バールより高いものであるのが有利である。
【００２２】
供給ガス混合物が積重ねられた気体透過モジュールの非透過製品ガスである場合、二酸化炭素、水蒸気、窒素その他といったような気体透過モジュールの膜を通してより高い透過性をもつ気体を、積重ねられた気体透過モジュールにより分離することができ、この積重ねられた透過の非透過製品ガスは、Ｃ1より高級な炭化水素を基本的に含まないメタン富化された気体混合物を生産する目的で実生産透過用の供給ガスとして使用することが可能である。
【００２３】
Ｃ1より高級な炭化水素をより高い含有率で有する気体をさらに使用するためには、前記積重ねられた気体透過モジュールの透過製品ガスと前記気体透過モジュールの非透過製品ガスが混合されると有利である。
【実施例】
【００２４】
発明についてここで添付図面を参照しながらより詳細に説明する。なお図面中、
図１は、気体透過モジュール１の透過物側４´上でＣ1より高級な炭化水素を基本的に含まない透過製品ガス４を生産するために、選択透過膜１´により供給ガス混合物２を精製するために気体透過モジュール１が提供されている方法及び装置をそれぞれ概略的に示す。気体透過モジュール１の非透過物側３´では、非透過製品ガス３を引き出すことができる。
【００２５】
選択透過膜１´は、エタン、プロパン及びその他の高級炭化水素に比べてメタンのより高い透過性をもつ重合体から成る。これらの重合体は、そのガラス転移温度（すなわち重合体が非晶質ガラス状相から可塑性相へと変わる温度）よりも低い温度で使用されるガラス状、非晶質、部分結晶質の重合体であり得る。かくして、気体透過モジュール１の膜１´は、芳香族ポリイミド、芳香族ポリエーテルなどで構成され得る。高級炭化水素と比べてメタンが好ましく透過するこれらの重合体の使用は、供給ガス２の圧力に類似した圧力で非透過気体３を引き出す可能性を提供する。
【００２６】
図２を見られるように、供給ガス２はコンプレッサ５により加圧して、膜１´を通しての透過速度を制御することが可能であり、かくして、より高いメタン濃度をもつＣ1より高級な炭化水素を基本的に含まない透過気体４の生産量を制御することができる。
【００２７】
図３から、供給ガス２は主供給ガス管路２´から分岐され、コンブレッサ５により加圧され、気体透過モジュール１内に導入されることがわかる。供給ガス２と基本的に同じ圧力をもつ非透過気体３は、次に、実質的にさらなる圧縮を必要とすることなく主供給ガス管路２´に戻される。Ｃ1より高級な炭化水素を基本的に含まずかつ高いメタン濃度をもつ透過気体４は、膜１´の透過物側から引き出される。
【００２８】
図４は、ここではコンプレッサ６である吸引ユニットが気体透過モジュール１の透過物側４´上に具備された状態の、図１及び２にきわめて類似した方法及び装置をそれぞれに概略的に示している。コンプレッサ６により、供給ガス２が選択透過膜１´を通して吸引されると同時に透過製品ガス４に加圧され、これは、透過製品ガス４のさらなる処置又は応用にとって有利でありうる。
【００２９】
図５では、選択透過膜１´をより容易に透過するであろう供給ガス混合物２の成分を分離する目的で、さらなる気体透過モジュール７が実生産用気体透過モジュール１上に積重ねられている、本発明のもう１つの好ましい実施形態が示されている。従って、気体透過モジュール７の膜７´は、二酸化炭素、窒素、水蒸気といったような成分を分離することができ、これらは、積重ねられた気体透過モジュール７の透過物側９´で透過気体９として一部のメタンと共に引き出すことができる。積重ねられた気体透過モジュール７の非透過物側８´で引き出される非透過気体８は、膜７´により分離された成分の濃度が大幅に削減された気体混合物であり、従って、気体透過モジュール１のための供給ガスとして使用するのに適している。天然ガス、液化天然ガス、液化石油ガス、ナフサ、石油化学工業由来のオフガス及びメタンを主成分として有するその他の気体でありうる供給ガス２のこの２段階方法により、最高の純度及び濃度のメタンで基本的に構成されている透過製品ガス４を得ることができる。
【００３０】
図６に示されているように、供給ガス２の気体圧力を制御する目的で、積重ねられた気体透過モジュール７の供給ガス側にコンプレッサ５を配置することができる。
【００３１】
図７では、積重ねられた気体透過モジュール７と実生産用気体モジュール１のさらなる組合せが示されており、ここで、生産用気体透過モジュール１の非透過気体３は積重ねられた気体透過モジュール７の透過気体９と混合されている。それぞれ気体透過モジュール１及び７の透過物側の圧力は気体透過モジュール１、７の非透過物側の圧力よりも著しく低いことから、生産用気体透過モジュール１の非透過気体ダクト３ａ内に減圧弁３ｂが介在させられている。図７に示されているように方法を実施するためには、積重ねられた気体透過モジュール７の非透過気体８が供給ガスとして生産用気体透過モジュール１内に導入される。製品ガス流３及び９を混合するために、Ｃ1より高級な炭化水素、二酸化炭素、水蒸気、窒素などを事実上全て含有する単一の気体流１０を達成するべく、非透過気体ダクト３ａが積重ねられた気体透過モジュール７の透過気体ダクト７ａと連結される。（任意には加圧された）気体流１０は、いかなる問題もなく、主気体導管系に搬送することができる。
【００３２】
当然のことながら、生産される製造透過気体４の量を制御する目的で、複数の気体透過モジュール１及び７をそれぞれに並列に配置することができる。もう一方の例では、複数の気体透過モジュール１及び７をそれぞれ直列に配置して、供給ガスの予備精製レベルひいては透過気体混合物４内のメタンの濃度及び純度を制御することができる。
【００３３】
本発明に従った気体透過装置を用いることによる本発明に従った方法の結果は、下表に示されている：
気体透過モジュール：
長さ（ｍｍ）：６１０
直径（ｍｍ）：５０
ハウジング材料：アルミニウム
膜材料：ポリイミド
供給源：Wiengas（ＡＴ）により提供された天然ガス
結果：
【００３４】
【表１】
2004533927.tif 000003
【００３５】
【表２】
2004533927.tif 000004
【００３６】
最後に、本発明に従った方法及び装置が、或る種の専門化された利用分野のために有用であるように、非常に低い硫黄濃度をもつ気体を生産するために例えばメルカプテン、チオぺンなどといった含硫黄化合物を選択的に分離するためにも使用可能であるということにも言及しておくことができる。
【図面の簡単な説明】
【００３７】
【図１】図１は、透過製品ガスとして精製メタンを分離するためのそれぞれ方法及び装置の概略図である。
【図２】図２は、気体透過モジュールのための供給ガスを加圧する目的でコンプレッサが具備されている、図１に示された装置と類似した装置を示す。
【図３】図３は、非透過気体が主気体管路に供給し戻されている、図１及び図２に類似したそれぞれ方法及び装置の概略図を示す。
【図４】図４は、例えば透過気体を抜き出すためのコンプレッサといった吸引ユニットを具備する、図１及び２に類似したそれぞれ方法及び装置の概略図を示す。
【図５】図５は、気体透過モジュールのための供給ガスから窒素、水蒸気、二酸化炭素及びその他の成分を分離する目的でさらなる気体透過モジュールが気体透過モジュールに積重ねられている、方法及び装置をそれぞれに示す。
【図６】図６は、積重ねられた気体透過モジュールの供給ガスを加圧するためのコンプレッサを伴う、図５と類似した方法及び装置をそれぞれ示す。
【図７】図７は、精製メタンを分離するための気体透過モジュールの非透過気体が、積重ねられた気体透過モジュールの透過気体と混合されている方法及び装置をそれぞれに示す。
【国際公開パンフレット】
2004533927.tif 000005
2004533927.tif 000006
2004533927.tif 000007
2004533927.tif 000008
2004533927.tif 000009
2004533927.tif 000010
2004533927.tif 000011
2004533927.tif 000012
2004533927.tif 000013
2004533927.tif 000014
2004533927.tif 000015
2004533927.tif 000016
2004533927.tif 000017
2004533927.tif 000018
2004533927.tif 000019
2004533927.tif 000020
2004533927.tif 000021
2004533927.tif 000022
【国際公開パンフレット（コレクトバージョン）】
2004533927.tif 000023
2004533927.tif 000024
【国際調査報告】
2004533927.tif 000025
2004533927.tif 000026